(57)【要約】【課題】キャビネットの正面だけでなく、側面近傍に向かっても使用し易いキャビネットを提供すること。【解決手段】本体２の正面下部において、床面から所定高さの正面ケコミ部１５が左右幅方向に形成されたキャビネット１であって、本体２の側面に、所定厚さ寸法を有するサイドパネル１２が、このサイドパネル１２の下面１２ｂが床面よりも高く位置するように取付けられ、サイドパネル１２の下面１２ｂとサイドパネル１２の下面１２ｂ下方における本体２の側面とにより、側面ケコミ部１６が前後幅方向に形成されている。【選択図】図２
2008245912.tif 000002
【特許請求の範囲】
【請求項１】
本体の正面下部において、床面から所定高さの正面ケコミ部が左右幅方向に形成されたキャビネットであって、
前記本体の側面に、所定厚さ寸法を有するサイドパネルが、該サイドパネルの下面が床面よりも高く位置するように取付けられ、前記サイドパネルの下面と該サイドパネルの下面下方における前記本体の側面とにより、側面ケコミ部が前後幅方向に形成されていることを特徴とするキャビネット。
【請求項２】
前記サイドパネルの下面下方における前記本体の側面に、前記サイドパネルの厚さ寸法よりも短寸の厚さ寸法を有する下部パネルが、該下部パネルの下面が床面に当接するように取付けられていることを特徴とする請求項１に記載のキャビネット。
【請求項３】
前記サイドパネルの下面と前記下部パネルの上面との間に、前記サイドパネルの高さ位置を調整する高さ調整手段が介設されていることを特徴とする請求項２に記載のキャビネット。
【請求項４】
前記高さ調整手段は、前記下部パネルの下面を床面に向けて押圧する押圧手段であることを特徴とする請求項３に記載のキャビネット。
【請求項５】
前記押圧手段は、前記サイドパネルの下面若しくは前記下部パネルの上面に嵌設され、上下方向の回動軸周りに回動可能な回動軸部と、該回動軸部から径方向に延設されるとともに周方向に肉厚が漸次変化する円周部と、から構成されていることを特徴とする請求項４に記載のキャビネット。
【請求項６】
前記押圧手段の円周部の回動半径は、前記サイドパネルの厚さ寸法よりも小さく形成されていることを特徴とする請求項５に記載のキャビネット。
【請求項７】
前記押圧手段は、前記下部パネルの前後幅方向に沿って、複数設けられていることを特徴とする請求項４ないし６のいずれかに記載のキャビネット。
【発明の詳細な説明】
【技術分野】
【０００１】
本発明は、本体の正面下部において、床面から所定高さの正面ケコミ部が左右幅方向に形成されたキャビネットに関する。
【背景技術】
【０００２】
従来のキャビネットとして、例えばキッチン台では、正面下部において正面ケコミ部が形成されており、キッチン台の使用者が、キッチン台の正面近傍に対面し、足のつま先をケコミ部に入り込むことができるため、キッチン台の正面を使用し易い形状と成っている（例えば、特許文献１参照）。
【０００３】
【特許文献１】特開２００１−１８６９４７号公報（第３頁、第１図）
【発明の開示】
【発明が解決しようとする課題】
【０００４】
近年では、キッチン台の背面若しくは側面を壁面等に当接させて設置するに限られず、いわゆるアイランド型等に設置する設置方式が要請されることが多く、使用者が、キッチン台の正面に対面して使用するに加えて、側面にも対面して使用する態様が望まれている。しかしながら、特許文献１に記載のキッチン台にあっては、使用者が、キッチン台の正面に対面した場合は正面ケコミ部を利用できるものの、キッチン台の左右側面に対面した場合にはケコミ部がないので、側面近傍に面して使用し難い。
【０００５】
本発明は、このような問題点に着目してなされたもので、キャビネットの正面だけでなく、側面近傍に向かっても使用し易いキャビネットを提供することを目的とする。
【課題を解決するための手段】
【０００６】
上記課題を解決するために、本発明の請求項１に記載のキャビネットは、
本体の正面下部において、床面から所定高さの正面ケコミ部が左右幅方向に形成されたキャビネットであって、
前記本体の側面に、所定厚さ寸法を有するサイドパネルが、該サイドパネルの下面が床面よりも高く位置するように取付けられ、前記サイドパネルの下面と該サイドパネルの下面下方における前記本体の側面とにより、側面ケコミ部が前後幅方向に形成されていることを特徴としている。
この特徴によれば、キャビネットの使用者が、正面ケコミ部及び側面ケコミ部を利用して、キャビネットの正面だけでなく、側面近傍に向かっても使用し易い。また、サイドパネルを、その下面が床面よりも高く位置するように本体の側面に取付けるだけで、既存のキャビネットの側面に、安価且つ容易にケコミ部を構成することができる。
【０００７】
本発明の請求項２に記載のキャビネットは、請求項１に記載のキャビネットであって、
前記サイドパネルの下面下方における前記本体の側面に、前記サイドパネルの厚さ寸法よりも短寸の厚さ寸法を有する下部パネルが、該下部パネルの下面が床面に当接するように取付けられていることを特徴としている。
この特徴によれば、キャビネットの使用者が、足のつま先が入り込むサイドパネルの下面下方における本体の側面を下部パネルにより保護できるばかりか、下部パネルの厚さ寸法がサイドパネルの厚さ寸法よりも小さいため、側面ケコミ部の奥行き寸法を維持できる。また、下部パネルの下面と床面との間に隙間が生じることがないため、外観体裁が損われる虞がない。
【０００８】
本発明の請求項３に記載のキャビネットは、請求項２に記載のキャビネットであって、
前記サイドパネルの下面と前記下部パネルの上面との間に、前記サイドパネルの高さ位置を調整する高さ調整手段が介設されていることを特徴としている。
この特徴によれば、高さ調整手段によりサイドパネルの高さ位置を調整することで、正面ケコミ部と側面ケコミ部との高さを揃えて連続性を維持させることができ、また、本体の上面とサイドパネルの上面とを略面一に揃えることもできる。
【０００９】
本発明の請求項４に記載のキャビネットは、請求項３に記載のキャビネットであって、
前記高さ調整手段は、前記下部パネルの下面を床面に向けて押圧する押圧手段であることを特徴としている。
この特徴によれば、不陸を有する床面に対応して、下部パネルの下面を強く押し付けることができることで、下部パネルの下面と床面との間に隙間が生じることを極力防止できるとともに、押圧手段をサイドパネルの下面により隠蔽できるため、目立たせずに設けることができる。
【００１０】
本発明の請求項５に記載のキャビネットは、請求項４に記載のキャビネットであって、
前記押圧手段は、前記サイドパネルの下面若しくは前記下部パネルの上面に嵌設され、上下方向の回動軸周りに回動可能な回動軸部と、該回動軸部から径方向に延設されるとともに周方向に肉厚が漸次変化する円周部と、から構成されていることを特徴としている。
この特徴によれば、円周部が周方向に肉厚変化しているため、回動軸部周りに円周部を回動させるだけで、押圧力を徐々に高めることができるとともに、回動軸部により回動時における位置ずれが効果的に防止される。また、押圧手段をコンパクトに構成できる。
【００１１】
本発明の請求項６に記載のキャビネットは、請求項５に記載のキャビネットであって、
前記押圧手段の円周部の回動半径は、前記サイドパネルの厚さ寸法よりも小さく形成されていることを特徴としている。
この特徴によれば、押圧手段の回動軸部を回動させても、円周部の周端がサイドパネルの外方に突出することがなく、キャビネットの外観体裁を損なうことがない。
【００１２】
本発明の請求項７に記載のキャビネットは、請求項４ないし６のいずれかに記載のキャビネットであって、
前記押圧手段は、前記下部パネルの前後幅方向に沿って、複数設けられていることを特徴としている。
この特徴によれば、前後方向に延びるサイドパネルに沿って複数設けられた押圧手段を適宜調整することにより、前後方向に不陸を有する床面にも対応して、下部パネルの下面を床面に当接させることができる。
【発明を実施するための最良の形態】
【００１３】
本発明の実施例を以下に説明する。
【実施例】
【００１４】
本発明の実施例を図面に基づいて説明すると、先ず図１は、実施例におけるキッチン台の全体像を示す斜視図である。図２（ａ）は、キッチン台の上面図であり、（ｂ）は、キッチン台の右側面図であり、（ｃ）は、正面図である。図３（ａ）は、サイドパネル及び下部パネルを取付ける状況を示す拡大斜視図であり、（ｂ）は、調整こまの斜視図である。図４は、側面ケコミ部を示す一部断面図である。
【００１５】
図１及び図２（ａ）〜（ｃ）に示されるように、本実施例におけるキャビネットとしてのキッチン台１は、いわゆるアイランド型のキッチン台であって、各種の収納部を備えた複数のキャビネットからなる本体２と、本体２の上面に載置された天板３とから主として構成されている。図１紙面右下側、図２（ａ）紙面下側が、キッチン台１の正面である。以下、キッチン台１の左右方向とはキッチン台１の正面側に立って左右方向のことであり、キッチン台１の前後方向とはキッチン台１の正面側に立って前後方向のことであるものとする。
【００１６】
キッチン台１の天板３には、左側の側面との角部に調理部としてのコンロ４が設けられているとともに、右側の側面との角部にシンク５が設けられている。コンロ４の背面側には、水分等の飛散防止用のパネル６が天板３から立設されている。また、正面側に立って中央側は調理部として調理台７が設けられ、この調理台７に連続して、背面側も調理部としての調理台８が設けられている。更に、キッチン台１の全周に沿って、側面には収納部としての開き戸９若しくは図示しない引出し等が適宜設けられている。
【００１７】
キッチン台１は、基本的には、調理者が正面側に立って調理を行うように出来ているが、調理者がキッチン台１の全周に沿って行動出来るように成っており、すなわちキッチン台１の正面側のみでなく、左右両側面若しくは背面側を利用しての調理が可能となる。このような形態のキッチン台１においては、調理者が複数である場合でもキッチン台１の全周を利用した調理が可能である。
【００１８】
次に、図２（ｂ）に示されるように、キッチン台１の正面下部における正面ケコミ部１５について説明すると、キッチン台１の本体２は、床面上に接地される所定高さを有する略矩形状の下部キャビネット１１と、この下部キャビネット１１の上面に設置される、下部キャビネット１１の前面１１ａよりも手前側に前面１０ａを有する略矩形状の上部キャビネット１０と、から主として構成されている。このように、下部キャビネット１１と上部キャビネット１０とから本体２を構成することで、下部キャビネット１１の前面１１ａと、この前面１１ａよりも手前側に延びる上部キャビネット１０の下面１０ｂとにより、床面から下部キャビネット１１の高さ分の正面ケコミ部１５が、左右幅方向に形成されている。すなわち、正面ケコミ部１５は、キッチン台１の正面下部において、上部キャビネット１０の前面１０ａよりも後方に向かって空隙が形成されており、キッチン台１の使用者が、足のつま先を正面ケコミ部１５に入り込むことで、キッチン台１の正面近傍で快適に調理等が行えるようになっている。
【００１９】
尚、キッチン台１の背面側においても、上記した正面側と同様の構成となっており、背面ケコミ部を有している。
【００２０】
次に、図２（ｃ）に示されるように、キッチン台１の両側面に形成される側面ケコミ部１６について説明すると、キッチン台１の左右それぞれの側面において、上記した本体２を構成する下部キャビネット１１の側面１１ｃと上部キャビネット１０の側面１０ｃとが、略面一に形成されており、上部キャビネット１０の側面１０ｃに、所定厚さ寸法を有するサイドパネル１２が、このサイドパネル１２の下面１２ｂが床面よりも高く位置するように前後幅方向に沿って取付けられている。以下、キッチン台１の一方側の側面における側面ケコミ部１６についてのみ説明し、他方側については説明を省略する。
【００２１】
具体的には、図４に示されるように、サイドパネル１２背面の適所に雌ネジ部１７が設けられており、上部キャビネット１０を構成する側板１９の背面側から螺挿した雄ネジ部１８が、この雌ネジ部１７と螺合することで、サイドパネル１２は、その下面１２ｂが床面よりも高い位置で上部キャビネット１０の側面１０ｃに固定に取付けられる。
【００２２】
また、サイドパネル１２の下面１２ｂ下方における下部キャビネット１１の側面１１ｃに、サイドパネル１２の厚さ寸法よりも短寸の下部パネル１３が、この下部パネル１３の下面１３ｂが床面に当接するように前後方向に沿って取付けられている。具体的には、下部パネル１３の背面と下部キャビネット１１の側面１１ｃとを、接着剤を介して当接させることで、下部パネル１３が、経時的に本体２の側面に固着される。
【００２３】
尚、キッチン台１の本体２にサイドパネル若しくは下部パネルを取付ける取付方法については、必ずしも上述した方法に限られず、例えば、サイドパネル若しくは下部パネルの背面側に設けた鉤状の係止部を、本体２に予め形成した被係止部に係止することで、サイドパネル若しくは下部パネルを取付けてもよい。
【００２４】
キッチン台１の側面において取付けられたサイドパネル１２の下面１２ｂと、このサイドパネル１２下面１２ｂ下方における下部パネル１３の前面１３ａとにより、側面ケコミ部１６が前後幅方向に形成されている。すなわち、側面ケコミ部１６は、キッチン台１の側面下部において、サイドパネル１２の前面１２ａよりも後方に向かって空隙が形成されており、キッチン台１の使用者が、足のつま先を側面ケコミ部１６に入り込むことで、キッチン台１の側面近傍で快適に調理等が行えるようになっている。
【００２５】
このように、キッチン台１の正面下方において形成されている正面ケコミ部１５に加え、側面ケコミ部１６を形成することで、キャビネットとしてのキッチン台１の使用者が、正面ケコミ部１５及び側面ケコミ部１６を利用して、足のつま先を入り込むことができ、キッチン台１の正面だけでなく、側面近傍に向かって使用し易い。また正面ケコミ部１５と側面ケコミ部１６とは、床面から略同じ高さで形成されており、キッチン台１のケコミ部として周方向に連続性を有し段差がないため、安全且つ外観体裁に優れている。
【００２６】
また、サイドパネル１２を本体２の側面に取付けることにより、例えば、既存のキャビネットとしてのいわゆるＩ型キッチン台の略面一に形成された側面に、安価且つ容易に側面ケコミ部を構成することができる。
【００２７】
また、このように下部パネル１３を取付けることで、キッチン台１の使用者が、頻繁に足のつま先が入り込むサイドパネル１２の下面１２ｂ下方における下部キャビネット１１の側面１１ｃを、下部パネル１３により保護できるばかりか、下部パネル１３の厚さ寸法がサイドパネル１２の厚さ寸法よりも小さいため、側面ケコミ部１６の奥行き寸法を維持できる。また、下部パネル１３の下面１３ｂと床面との間に隙間が生じることがないため、外観体裁が損われる虞がない。
【００２８】
更に、床面よりも高い位置において、本体２の側面に取付けられているサイドパネル１２の荷重を、このサイドパネル１２の下面１２ｂ下方において取付けられた下部パネル１３によって支持できる。
【００２９】
次に、図３（ａ）に示されるように、サイドパネル１２の下面１２ｂと下部パネル１３の上面との間に、サイドパネル１２の高さ位置を調整する高さ調整手段であって、下部パネル１３の下面１３ｂを床面に押圧する押圧手段としての調整こま１４が、前後方向に複数（本実施例では２個）介設されている。
【００３０】
図３（ｂ）に示されるように、調整こま１４は、具体的には、下部パネル１３の上面に形成された嵌合凹部１３ｄに嵌設され、この嵌合凹部１３ｄ内で上下方向の仮想の回動軸周りに回動可能な回動軸部１４ａと、この回動軸部１４ａから径方向に延設され、周方向に肉厚が漸次変化する円周部１４ｂと、から構成されている。更に、円周部１４ｂの周端に径方向に回動操作片１４ｃが突設され、調整こま１４の回動操作が可能となっている。円周部１４ｂは、回動操作片１４ｃが突設されている箇所が最も肉厚に形成され、この最も肉厚の箇所から周方向に左右いずれにも略９０度の範囲で漸次肉薄に形成されている。尚、回動軸部１４ａが嵌設される嵌合凹部は、必ずしも下部パネル１３の上面に形成されるものに限られず、例えば、サイドパネル１２の下面１２ｂに形成されていてもよい。
【００３１】
そして、図４に示されるように、この調整こま１４の回動操作片１４ｃを操作することにより、回動軸部１４ａ周りに円周部１４ｂを回動させることで、周方向に漸次変化する肉厚を有する円周部１４ｂにおけるサイドパネル１２の下面１２ｂと、下部パネル１３の上面と、の介在箇所を変化させ、不陸を有する床面に対応して、下部パネル１３の下面１３ｂを床面に強く押し付けることができる。このようにすることで、下部パネル１３の下面１３ｂと床面との間に隙間が生じることを極力防止できるとともに、押圧手段としての調整こま１４をサイドパネル１２の下面１２ｂにより隠蔽できるため、目立たせずに設けることができる。更に、調整こま１４で、サイドパネル１２の下面１２ｂと下部パネル１３の上面との間に所定の間隙を形成して、下部パネル１３を床面に押付けるため、サイドパネル１２の下面１２ｂと下部パネル１３の上面との間隙も目立つことなく美観を保てる。
【００３２】
このようにすることで、円周部１４ｂが周方向に肉厚変化しているため、回動軸部１４ａ周りに円周部１４ｂを回動させるだけで、押圧力を徐々に高めることができるとともに、回動軸部１４ａにより回動時における位置ずれが効果的に防止される。また、押圧手段としての調整こま１４をコンパクトに構成できる。
【００３３】
また、円周部１４ｂが周方向に肉厚変化しており、直線方向に肉厚変化していないので、回動軸部１４ａ周りに円周部１４ｂを回動させることで、調整こま１４がサイドパネル１２の後面側の本体２側面に当接してしまうことなく、下部パネル１３を床面に押圧できる。また、円周部１４ｂを周方向に左右いずれに回動しても、同様に下部パネル１３を床面に押圧できる。尚、調整こま１４は、回動操作片１４ｃを特段に設けずに、例えば円周部１４ｂの側周面に亘って、上下方向に筋状に形成された滑り止め用の凹凸部が設けられ、該凹凸部を利用して調整こまを回動操作するようにしてもよい。
【００３４】
更に、調整こま１４の円周部１４ｂの回動半径は、サイドパネル１２の厚さ寸法よりも小さく形成されており、より具体的には、回動軸部１４ａから最も径方向に突出した回動操作片１４ｃの突出寸法が、回動軸部１４ａが嵌合する嵌合凹部１３ｄからサイドパネル１２の前面１２ａまでの寸法よりも小さく形成されており、このように形成することで、調整こま１４の回動軸部１４ａ周りに回動操作片１４ｃを回動させても、円周部１４ｂの周端、回動操作片１４ｃがサイドパネル１２の外方に突出することがなく、キッチン台１の外観体裁を損なうことがない。
【００３５】
また、上述した調整こま１４は、サイドパネル１２の前後方向に複数設けられていることで、前後方向に延びるサイドパネル１２に沿って複数設けられた調整こま１４を適宜調整することにより、前後方向に不陸を有する床面にも対応して、下部パネル１３の下面１３ｂを床面に当接させることができる。尚、本実施例では、調整こま１４は、前後方向に２個設けられているが、所定間隔おきに３個以上設けられていてもよいし、適所に１個のみ設けられていても構わない。
【００３６】
また、調整こま１４により、下部パネルを下方の床面に押付ける反力を利用して、サイドパネル１２の高さ位置を調整することで、例えば、サイドパネル１２の下面１２ｂの高さ位置を正面ケコミ部を形成する上部キャビネット１０の下面の高さ位置と略面一に揃えて、正面ケコミ部１５と側面ケコミ部１６との連続性を維持させることができ、また、例えば、上部キャビネット１０の上面と、上部キャビネット１０に取付けたサイドパネル１２の上面と、を略面一に揃えることもでき、この上面に天板３を隙間を生じることなく設置できる。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、上記実施例では、キッチン台１は、アイランド型のキッチン台であって、天板にシンク５や調理部としてコンロ４が設けられているが、正面ケコミ部に加え、側面ケコミ部が形成されていれば、キッチン台の型や、シンクまたは調理部の配置については、必ずしも本実施例に限られず、例えばＩ型やＬ型のキッチン台であってもよいし、また、天板にシンクまたは調理部のみが設けられたキッチン台であっても構わない。
【００３９】
また、上記実施例では、キャビネットとしてキッチン台１が示されているが、キャビネットは、必ずしもキッチン台に限られず、例えば、棚板を備えた陳列棚であっても構わない。
【００４０】
また、上記実施例では、キャビネットとしてキッチン台１の本体２側面にサイドパネル１２が取付けられるとともに、サイドパネル１２の下面１２ｂ下方における本体２の側面に下部パネル１３が取付けられ、更に、サイドパネル１２の下面１２ｂと下部パネル１３の上面との間に押圧手段としての調整こま１４が介設されているが、例えば、床面が水平な場合には、押圧手段を介設せずに、下部パネルの下面を床面に当接させ、サイドパネル１２の下面１２ｂを該下部パネルの上面と当接するように取付けてもよいし、また、押圧手段及び下部パネルの何れもが設けられておらず、サイドパネルのみが本体の側面に取付けられていてもよい。更に、予め下部が肉薄のケコミ部に形成されたサイドパネルを、本体の側面に取付けてもよい。
【００４１】
更に、上記実施例では、押圧手段としての調整こま１４は、周方向に肉厚が漸次変化する円周部１４ｂを回動軸部１４ａ周りに回動させることで、下部パネル１３を床面に押圧しているが、例えば、押圧手段は、楔形状であって直線方向に肉厚が漸次若しくは段階的に変化する直線部を構成しており、該直線部を直線方向に移動させることで、下部パネルを床面に押圧してもよい。
【図面の簡単な説明】
【００４２】
【図１】実施例におけるキッチン台の全体像を示す斜視図である。
【図２】（ａ）は、キッチン台の上面図であり、（ｂ）は、キッチン台の右側面図であり、（ｃ）は、正面図である。
【図３】（ａ）は、サイドパネル及び下部パネルを取付ける状況を示す拡大斜視図であり、（ｂ）は、調整こまの斜視図である。
【図４】側面ケコミ部を示す一部断面図である。
【符号の説明】
【００４３】
１                キッチン台
２                本体
３                天板
４                コンロ
５                シンク
７                調理台
８                調理台
１０              上部キャビネット
１０ａ            前面
１０ｂ            下面
１０ｃ            側面
１１              下部キャビネット
１１ａ            前面
１１ｃ            側面
１２              サイドパネル
１２ａ            前面
１２ｂ            下面
１３              下部パネル
１３ａ            前面
１３ｂ            下面
１３ｄ            嵌合凹部
１４              調整こま（高さ調整手段、押圧手段）
１４ａ            回動軸部
１４ｂ            円周部
１４ｃ            回動操作片
１５              正面ケコミ部
１６              側面ケコミ部
１７              雌ネジ部
１８              雄ネジ部
１９              側板
【図１】
2008245912.tif 000003
【図２】
2008245912.tif 000004
【図３】
2008245912.tif 000005
【図４】
2008245912.tif 000006